(57)【要約】植木鉢および関連する植木鉢受皿にも適用可能な、布地製の植木鉢カバーであって、それが適用され得る植木鉢の、または植木鉢受皿を有する植木鉢の形状に適合するように伸縮性の布地で作られたチューブ状要素（１１）を含み、チューブ状要素（１１）は同じく伸縮性の２つの末端縁部（１２）を有する。
2006526440.tif 000002
【特許請求の範囲】
【請求項１】
布地製の植木鉢カバーであって、それが適用され得る植木鉢の、または植木鉢受皿を有する植木鉢の形状に適合するように伸縮性の布地で作られたチューブ状要素（１１）を含み、前記チューブ状要素（１１）が同じく伸縮性の２つの末端縁部（１２）を有することを特徴とする、植木鉢カバー。
【請求項２】
前記チューブ状要素（１１）が伸縮性のあるニット材料で作られることを特徴とする、請求項１に記載の植木鉢カバー。
【請求項３】
前記チューブ状要素（１１）がストレッチ性の布地で作られることを特徴とする、請求項１に記載の植木鉢カバー。
【請求項４】
前記チューブ状要素（１１）が、伸縮性が異なる領域を有することを特徴とする、請求項１に記載の植木鉢カバー。
【請求項５】
前記チューブ状要素（１１）が断熱性を有する布地で作られることを特徴とする、前述の請求項のうちの１つ以上に記載の植木鉢カバー。
【請求項６】
前記チューブ状要素（１１）が洗浄可能な布地で作られることを特徴とする、前述の請求項のうちの１つ以上に記載の植木鉢カバー。
【請求項７】
前記チューブ状要素（１１）が防黴性を有する布地で作られることを特徴とする、前述の請求項のうちの１つ以上に記載の植木鉢カバー。
【請求項８】
前記チューブ状要素（１１）が耐火性および／または自己消火性を有する布地で作られることを特徴とする、前述の請求項のうちの１つ以上に記載の植木鉢カバー。
【請求項９】
前記チューブ状要素（１１）が、蚊の通過を防止する寸法を有する多孔性がある布地で作られることを特徴とする、前述の請求項のうちの１つ以上に記載の植木鉢カバー。
【発明の詳細な説明】
【技術分野】
【０００１】
この発明は、布地製の、特に花、植物などの植木鉢用の植木鉢カバーに関する。
【０００２】
そのような植木鉢カバーは、植木鉢と関連する植木鉢受皿との組合せにも都合よく適用され得る。
【背景技術】
【０００３】
一般にプラスチックまたはテラコッタで作られた、花、植物などのための植木鉢が、感じのよい美的外観を有していない、ということは公知である。
【０００４】
しばしば、これらの植木鉢が室内または外のよく見える場所に（たとえばバルコニーに、または玄関近くに）置かれる場合、それらは見た目をより感じよくするために植木鉢カバー要素によって少なくとも部分的に覆われる。
【０００５】
現在公知の第１のタイプの植木鉢カバー要素は、適用される植木鉢を側面に沿って覆う紙のような材料で作られたチューブ状の帯によって実質的に構成されている。
【０００６】
この材料のチューブ状の帯には長手方向に蛇腹状に襞が付いており、それが幅を広げ、異なる直径の植木鉢に伸縮して適合するようになっている。
【０００７】
これらの紙製の植木鉢カバーがおそらくはもたらすであろう（全く立証されていない）美的改良はさておき、これらの製品が実際に、直径が異なる植木鉢には適合できるものの、高さが著しく異なる植木鉢には適合できないことは明らかである。
【０００８】
さらに、紙のような材料で作られた植木鉢カバーはあまり頑丈ではなく、時間が経つと劣化する場合がある。
【０００９】
また、植木鉢カバーは紙のような材料で作られているため、それらは洗えず、したがって汚れた場合（たとえば植木鉢からこぼれた土と水とが混ざり合った典型的な場合）には、それらは交換される必要がある。
【００１０】
植木鉢の美的外観に関連する別の問題は、紙のような材料で作られた植木鉢カバーが、ほぼ常に存在し別の目障りな要因である、水を集める受皿を覆わない、ということから生じる。
【００１１】
現在公知の第２のタイプの植木鉢カバー要素は、美的な仕上げの植木鉢によって実質的に構成されており、それは、花を収容する植木鉢と場合により受皿も収容する。
【００１２】
このタイプの植木鉢カバーも、前述の植木鉢カバーと同様の問題を有することは、明らかである。
【００１３】
これらの植木鉢カバーは実際「硬く」、さまざまな植木鉢の寸法には適合できない。なぜなら、それは、小さな植木鉢を収容できるものの、それ自体の構造よりも大きい植木鉢は収容できないためである。
【００１４】
さらに、これらの「硬い」植木鉢カバーの費用は、それらの寸法、材料および仕上げに依存して、かなりのものとなる場合がある。
【発明の開示】
【発明が解決しようとする課題】
【００１５】
この発明のねらいは、公知のタイプの植木鉢カバーに関連する問題を解決することが可能な、花、植物などのための植木鉢などに植木鉢受皿の有無にかかわらず適用可能な植木鉢カバーを提供することにある。
【００１６】
このねらいにおいて、この発明の目的は、さまざまな植木鉢および植木鉢受皿に適合されうる、花、植物などのための植木鉢などに植木鉢受皿の有無にかかわらず適用可能な植木鉢カバーを提供することにある。
【００１７】
この発明の別の目的は、安価で頑丈、かつ洗浄できる、花、植物などのための植木鉢などに植木鉢受皿の有無にかかわらず適用可能な植木鉢カバーを提供することにある。
【００１８】
この発明の別の目的は、美的に感じのよい、花、植物などのための植木鉢などに植木鉢受皿の有無にかかわらず適用可能な植木鉢カバーを提供することにある。
【００１９】
この発明の別の目的は、従来のシステムおよび技術で製造可能な、花、植物などのための植木鉢などに植木鉢受皿の有無にかかわらず適用可能な植木鉢カバーを提供することにある。
【００２０】
以下でより明らかとなるであろうこのねらいとこれらおよびその他の目的とは、布地製の植木鉢カバーであって、それが適用され得る植木鉢の、または植木鉢受皿を有する植木鉢の形状に適合するように伸縮性の布地で作られたチューブ状要素を含み、前記チューブ状要素が同じく伸縮性の２つの末端縁部を有することを特徴とする植木鉢カバーによって達成される。
【００２１】
この発明のさらに別の特徴および利点は、添付図面に非限定的な例として例示された、好ましいもののそれに限定されないその実施例の以下の詳細な説明からより明らかとなるであろう。
【発明を実施するための最良の形態】
【００２２】
発明を実行する方法
図面を参照すると、この発明に従った植木鉢カバーは概して参照符号１０によって示される。
【００２３】
植木鉢カバー１０は、伸縮性の布地で作られたチューブ状要素１１を含む。
【００２４】
好ましくは、この布地は、たとえばストレッチ性の布地といった、伸縮性のあるニット材料で作られる。
【００２５】
チューブ状要素１１は２つの末端縁部１２を有し、それらも同じく伸縮性がある。
【００２６】
末端縁部１２の各々は伸縮端部１３を形成しており、その高さは異なる場合がある。
【００２７】
チューブ状要素１１は、伸縮性が異なる領域を有する。この場合、これらの領域は伸縮端部１３である。
【００２８】
単なる一例として与えられる、指標となる測定値は、以下のとおりである。
【００２９】
チューブ状要素１１の直径：５〜５０ｃｍ
チューブ状要素１１の高さ：５〜５０ｃｍ
伸縮端部１３の高さ：１〜１０ｃｍ。
【００３０】
チューブ状要素１１は、ここでは参照符号１４によって示される植木鉢を覆って装着される。末端縁部１２は、植木鉢１４の下側１５へと、かつその上部周縁１６へと延びて、植木鉢１４を把持する。このように、その側面は完全に覆われる。
【００３１】
伸縮性の布地は、植木鉢カバー１０が植木鉢１４の形状に完全に適合することを可能にし、また、直径および高さが双方ともより大きい植木鉢にもそれを使用することも可能にする。
【００３２】
有利には、図３に示すように、植木鉢カバーは、その伸縮性により、植木鉢受皿１１７を有する植木鉢１１４にも適用可能である。
【００３３】
この場合、チューブ状要素１１は、植木鉢１１４だけでなく植木鉢受皿１１７も覆って装着される。末端縁部１２は、受皿１１７の載置底面１１８へと延びて受皿１１７を把持し、植木鉢１１４をその上部周縁１１６で把持する。このように、植木鉢および植木鉢受皿の側面は完全に覆われる。
【００３４】
なお、チューブ状要素１１は、その「多孔性」（つまり網の幅）が十分に密であれば、受皿に必然的に生じる澱んだ溜まり水への蚊の接近を防止する。
【００３５】
有利には、植木鉢およびそれに収容される植物の根を温度変化から保護するために、チューブ状要素１１は、断熱性を有する布地で作られ得る。
【００３６】
チューブ状要素１１は、好ましくは、防黴性も有する洗浄可能な布地で作られる。
【００３７】
安全性の理由により、チューブ状要素１１は、耐火性および／または自己消火性を有する布地で作られ得る。
【００３８】
実際には、ここに説明された発明は、公知のタイプの植木鉢カバーにおいて挙げられた問題を解決する。特に、この発明は、さまざまな植木鉢および植木鉢受皿に適合され得る、花、植物などのための植木鉢などに植木鉢受皿の有無にかかわらず適用可能な植木鉢カバーを提供する。
【００３９】
また、この発明は、特に安価で頑丈、かつ洗浄しやすい、花、植物などのための植木鉢などに植木鉢受皿の有無にかかわらず適用可能な植木鉢カバーを提供する。
【００４０】
さらに、この発明は、美的に感じがよく、かつ使用される布地のタイプと関連付けられるさまざまな装飾色も期待できる、花、植物などのための植木鉢などに植木鉢受皿の有無にかかわらず適用可能な植木鉢カバーを提供する。
【００４１】
また、この発明は、公知の装置および技術で製造可能な、花、植物などのための植木鉢などに植木鉢受皿の有無にかかわらず適用可能な植木鉢カバーを提供する。
【００４２】
この植木鉢カバーは実際、たとえば靴下および下着を生産するための通常の機械で生産可能である。
【００４３】
この植木鉢カバーは、花を収容するよう設計されてはいない物体、たとえば本質的に全
く異なる形状を有するインテリア装飾品などにも適用可能であることは明らかである。
【００４４】
たとえば、この植木鉢カバーは、目に見える損傷を受けた植木鉢またはインテリア装飾品を全般に覆うために便利に使用され得る。
【００４５】
実際、寸法、および使用される材料は、その材料が特定の使用に適合する限り、要件および当該技術分野の現状に従ったいかなるものでもよい。
【００４６】
本願が優先権をそこから主張しているイタリア実用新案出願第ＰＤ２００３Ｕ００００４４における開示が、ここに引用により援用される。
【図面の簡単な説明】
【００４７】
【図１】植木鉢に適用される、この発明に従った植木鉢カバーの図である。
【図２】植木鉢に適用された、この発明に従った植木鉢カバーの斜視図である。
【図３】植木鉢受皿を有する植木鉢に適用された、この発明に従った植木鉢カバーの斜視図である。
【図１】
2006526440.tif 000003
【図２】
2006526440.tif 000004
【図３】
2006526440.tif 000005
【国際調査報告】
2006526440.tif 000006
2006526440.tif 000007